Podtech/llm-jp-corpus-v4-ja_patent huggingface dataset:
(57)【要約】      （修正有）【課題】厨芥取り出しと清掃作業の３Ｋ（臭い、汚い、きつい）を解消するグリース阻集器の受け篭を提供する。【解決手段】受け篭１０はグリース阻集器本体から引き上げるための受け篭１０の取手１１、受け篭１０の上部開口部を補強する補強枠１２ａ、受け篭１０の底部の底枠１２ｂ、受け篭１０の本体函部１３の底の厨芥落とし口１４から成り更に厨芥落とし口１４を塞ぐ底蓋がある。この底蓋には厨芥落とし口１４を着脱する際の取手がある。厨房作業中は底蓋を、厨芥落とし口１４の上に重ね置いて受け篭の底として流入する厨芥を捕捉し、作業終了時に受け篭１０をグリ―ス阻集器本体の排水流入部から引き上げて、水を切ってから受け篭をゴミ容器に載せて底蓋の取手を持ち、受け篭１０の本体函部１３から底蓋を取り外し、ヘラ等で厨芥落とし口１４から受け篭１０の厨芥を下のゴミ容器にかき落とす。                                                    【選択図】図１
0003214802.tif 000002
【実用新案登録請求の範囲】
【請求項１】
グリース阻集器の排水流入部に設置する受け篭であって、受け篭の底部に厨芥落とし口を設けるために受け篭の側板面の底辺部全周に底枠を取付け、この底枠の内側開口部を厨芥落とし口とし、更に、厨芥落とし口を塞ぐ着脱自在の底蓋を備え、厨房の作業終了時に排水流入部から受け篭を引き上げて、水を切ってから底蓋を取り外し、捕捉した厨芥を三角ヘラ等でゴミ容器にかき落とすことを特徴とするグリース阻集器の受け篭。
【考案の詳細な説明】
【技術分野】
【０００１】
本考案はグリース阻集器の受け篭の厨芥落とし口と、厨芥落とし口を塞ぐ底蓋の構造に関する。
【背景技術】
【０００２】
業務用厨房から出る排水には多量の油脂と魚介や野菜の切屑等の固形物（以下厨芥と言う）が混入しているから、厨房内にグリース阻集器を設置しグリース阻集器の受け篭で油脂や厨芥を捕捉した後の排水は公共下水道へ排出、捕捉した厨芥は毎日の業務終了後にゴミとして廃棄する事になっているが、既存の受け篭は下記特許文献１に記載の通り受け篭の上部開口部に小型スコップ等を差し込み掬い取る方式なので掬い取りに時間を要し、更に引き上げた受け篭の汚水で床を汚して掃除が増える等で厨房の３Ｋ（臭い、汚い、きつい）作業と忌避され受け篭の厨芥取り出しと清掃を毎日から隔日に、更に１週間に２度を１度と清掃回数を減らしたり清掃作業を外注する事業所が増えている。
【先行技術文献】
【特許文献】
【０００３】
【特許文献１】実用新案登録第３１９８３２７号公報
【考案の概要】
【考案が解決しようとする課題】
【０００４】
事業排水を公共下水道に流す事業所は、法律や条例でグリース阻集器の設置が義務付けられている。        しかし事業所の中にはグリース阻集器設置の趣旨である排水の浄化に反して、受け篭の厨芥の取り出しと清掃の回数を減らしたり、作業を週１回程度の頻度で外注して厨房の３Ｋ作業（臭い、汚い、きつい）対策としているケースがある。しかし、無清掃日は多量の排水がグリース阻集器の排水流入部に流入し、受け篭から溢れた排水が排水流入部の次の油脂分離槽を通って流出部から公共下水道に流出している。この状況はグリース阻集器設置の趣旨に反している上に、清掃の回数減や作業の外注は３Ｋの解消策にはなっていないから、この受け篭からの厨芥取り出しと清掃作業の３Ｋ解消が課題である。      
【課題を解決するための手段】
【０００５】
上記特許文献１では受け篭の底部に傾斜をつけて上部開口部から厨芥を掬い易くしたので掬い取り効率は上がるが、掬い取り方式での３Ｋ解消は難しい。本案の受け篭の設置場所は既往の受け篭と同様に、グリース阻集器の排水流入部に設置するが、この受け篭の底部に厨芥落とし口を設けるために受け篭の側板面の底辺部全周に底枠を取付け、この外枠の内側開口部を厨芥落とし口とし、更に厨芥落とし口を塞ぐ着脱自在の底蓋を備え、厨房終了時に排水流入部から受け篭を引き上げて、水を切ってから底蓋を取り外し、捕捉した厨芥を三角ヘラ等のかき落とし具でゴミ容器にかき落とすことを特徴とするグリース阻集器の受け篭で厨芥取り出しと清掃作業の３Ｋ（臭い、汚い、きつい）を解消する。
【考案の効果】
【０００６】
受け篭の中の厨芥を掻き落とすだけの本案のかき落とし方式は、厨房作業終了時に受け篭を引き上げて、水を切ってからゴミ容器の上に載せて、受け篭の底蓋を取り外し、三角ヘラ等で厨芥落とし口から下のゴミ容器にかき落とすだけの作業なので作業時間の短縮と作業負担軽減の効果が大きい。
【図面の簡単な説明】
【０００７】
【図１】受け篭１０の厨芥落とし口１４に底蓋２０を組み込まない斜視図
【図２】受け篭１０の厨芥落とし口１４を塞ぐ底蓋２０の斜視図
【図３】受け篭１０に底蓋２０を組み込んだ斜視図
【図４】グリース阻集器本体に受け篭１０を組み込んだ平面図
【図５】図４の側面図
【考案を実施するための形態】
【０００８】
本考案の受け篭１０の底には厨芥落とし口１４と厨芥落とし口を塞ぐ底蓋２０を有する。その仕組み、構造を実施例に基づき図面を参照して説明する。
【０００９】
本考案の受け篭１０はグリース阻集器本体から引き上げるための受篭１０の取手１１、受け篭１０の上部開口部を補強する補強枠１２a、受け篭１０の底部の底枠１２ｂ、受け篭１０の本体函部１３の底の厨芥落とし口１４から成り更に厨芥落とし口１４を 塞ぐ底蓋２０がある。この底蓋２０には厨芥落とし口１４を着脱する際の取手２１がある。
【実施例】
【００１０】
厨房作業中は底蓋２０を、厨芥落とし口１４の上に重ね置いて受け篭の底として流入する厨芥を捕捉し、作業終了時に受け篭１０をグリ―ス阻集器本体の排水流入部から引き上げて、水を切ってから受け篭をゴミ容器に載せて底蓋２０の取手２１を持ち、受け篭１０の本体函部１３から底蓋２０取り外し、ヘラ等で厨芥落とし口１４から受け篭１０の厨芥を下のゴミ容器にかきを落とす。                                                                                                   
【符号の説明】
【００１１】
１０    受け篭    
１１    受け篭１０の取手
１２a   受け篭１０の上部開口部の補強枠
１２ｂ  受け篭１０の底部の底枠
１３    受け篭１０の本体函部
１４    受け篭底部の底枠の内側開口部による厨芥落とし口
２０    厨芥落とし口１４を塞ぐ底蓋
２１    厨芥落とし口１４を塞ぐ底蓋２０の取手
２２    受け篭１０の本体函部に使用鋼板のパンチング（孔明き）図  
２３    底蓋２０に使用鋼板のパンチング（孔明き）図
Ａ      排水流入部
Ｂ      排水分離槽
Ｃ      排水流出部
【図１】
0003214802.tif 000003
【図２】
0003214802.tif 000004
【図３】
0003214802.tif 000005
【図４】
0003214802.tif 000006
【図５】
0003214802.tif 000007
(57)【要約】      （修正有）【課題】接着剤付角丸袋の封緘後に、接着剤付角丸袋の四隅角が角丸である接着剤付角丸袋を提供する。【解決手段】合成樹脂性，接着剤付袋を封緘した状態において、接着剤付袋の四隅が角丸４に加工された接着剤付角丸袋である。また、袋の封緘部に接着剤を塗布し、接着剤塗布部２の下部に袋の封緘部を形成する折りたたみ線が形成された接着剤付角丸袋である。【選択図】図１
0003214897.tif 000002
【実用新案登録請求の範囲】
【請求項１】
合成樹脂性，接着剤付袋を封緘した状態ににおいて、接着剤付袋の四隅を角丸に加工された接着剤付角丸袋、
【請求項２】
袋の封緘部に接着剤を塗布し、接着剤下部に袋の封緘部を形成する折りたたみ線を形成された、接着剤付角丸袋、
【請求項３】
前記折りたたみ線両端に袋封緘部の角丸加工を行った接着剤付角丸袋、
【請求項４】
袋の底部に袋の角丸加工を形成された接着剤付角丸袋、
【請求項５】
上記によつて、袋の封緘後において、袋の四隅を角丸に形成された、接着剤付角丸袋、
【考案の詳細な説明】
【技術分野】
【０００１】  本考案は、接着剤付角丸袋の封緘後において、接着剤付角丸袋の四隅角が角丸に形成される袋に関する考案である。
【考案の概要】
【考案が解決しようとする課題】
【０００２】  従来の接着剤付袋は、封緘後において、袋の四隅の角丸袋を形成することが困難であった。【０００３】  従来の接着剤付袋の、封緘時には、袋の封緘部の折り返し部が封緘部の両横に成るため、封緘部の両横を角丸に形成できない。
【考案が解決するための手段】
【０００４】  本考案は、接着剤付袋の封緘前に、袋の封緘用の折りたたみ部の両横を封緘時に角丸に、形成される、角丸加工を行う。
【０００５】  上記、袋の折りたたみ部の角丸加工と、同時に袋の底部の角丸加工を行う。
【０００６】  本考案の、接着剤付袋の、接着剤は、袋の封緘部に袋幅方向に接着剤を塗布、又は、両面接着テープを貼り付ける。
【考案の効果】
【０００７】  本考案は、接着剤付角丸袋の考案であつて、接着剤付角丸袋の封緘後に、接着剤付角丸袋の四隅角が角丸であることが、発明の効果である。
【考案の実施するための形態】
【０００８】  本考案の実施の形態を図面を参照しながら詳細に説明する。なお、以下の説明にあたって、同一構成要件については、同一符号を付けて、重複した説明を省略する。
【０００９】  合成樹脂性，接着剤付袋２を封緘した状態ににおいて、接着剤付袋の四隅を角丸４に加工された接着剤付角丸袋である。図１
【００１０】  袋の封緘部５に接着剤２を塗布する、接着剤塗布部下部２に袋の封緘部を形成する折りたたみ線３を形成された、接着剤付角丸袋である。
【００１１】  前記折りたたみ線３両端に袋封緘部の角丸加工４を行った接着剤付角丸袋、図３
【００１２】  袋の底部に袋の角丸加工４を形成された接着剤付角丸袋、
【実施例】
【００１３】      上記によつて、袋の封緘後において、袋の四隅を角丸４に形成された、接着剤付角丸袋、図１
【図面の簡単な説明】
【図１】  本考案の、接着剤付角丸袋の封緘後の平面図てある。
【図２】  図Ｉの断面図である。
【図３】  本考案の、接着剤付角丸袋の封緘前の平面図である。
【符号の説明】      １  袋部
２  接着剤塗布部
３  封緘部を形成する折りたたみ線
４  本考案の、四方角丸部
５  封緘部
【図１】
0003214897.tif 000003
【図２】
0003214897.tif 000004
【図３】
0003214897.tif 000005
【手続補正書】
【提出日】平成29年11月16日(2017.11.16)
【手続補正１】
【補正対象書類名】実用新案登録請求の範囲
【補正対象項目名】全文
【補正方法】変更
【補正の内容】
【実用新案登録請求の範囲】
【請求項１】
合成樹脂性，接着剤付袋を封緘した状態において、接着剤付袋の四隅を角丸に加工された接着剤付角丸袋。
【請求項２】
袋の封緘部に接着剤を塗布し、接着剤下部に袋の封緘部を形成する折りたたみ線を形成された、請求項１に記載の接着剤付角丸袋。
【請求項３】
前記折りたたみ線両端に袋封緘部の角丸加工を行った、請求項２に記載の接着剤付角丸袋。
【請求項４】
袋の底部に袋の角丸加工を行った、請求項１〜３のいずれか一項に記載の接着剤付角丸袋。
【請求項５】
袋の封緘後において、袋の四隅を角丸に形成された、請求項１〜４のいずれか一項に記載の接着剤付角丸袋。
(57)【要約】      （修正有）【課題】躯体に接合することなく、専門の職人でなくても簡便に組立や設置が出来、また、取り外しや移設が必要になった場合は、躯体やユニットを損傷することなく簡便に取り外し工事や移設工事を行うことが出来る水廻り空間創造ユニットを提供する。【解決手段】壁パネル１と天井パネル２を、接続金物３を介してボルト又はビスで強固に連結して一体化し、それら一体化したパネルの下部を、接続金物４を介してボルト又はビスで床基盤材に強固に連結することにより自立する水廻り空間創造ユニットを構成する。【選択図】図１
0003214895.tif 000002
【実用新案登録請求の範囲】
【請求項１】
水廻り空間創造ユニットを構成している壁パネルと天井パネル及び床基盤材を接続装置で接合することにより、専門の職人による大掛かりな工事をすることなく、また、躯体やユニットに損傷を与えずに水廻り空間の設置並びに解体や移設ができることを特徴とする水廻り空間創造ユニットの設置技術
【考案の詳細な説明】
【技術分野】
【０００１】本考案は、水廻り空間創造ユニットを躯体に接合することなく、専門の職人でなくても簡便に組立や設置が出来、また、ユニットの取り外しや移設が必要になった場合は、躯体やユニットを損傷することなく簡便に取り外し工事や移設工事が行える水廻り空間創造ユニットの設置技術に関するものである。
【背景技術】
【０００２】従来では、水廻り空間の創造は、専門の職人によって空間を構成する床及び間仕切壁や天井の下地を躯体に接合し、それらの下地に仕上げ材を張るという工事によって行われている。【０００３】また、空間を構成している床及び間仕切壁や天井の下地が躯体に接合されているため、取り外しや移設が必要になった時は、それらの下地や仕上げ材を解体しなければならず、躯体にも損傷を与えるという欠点があった。
【考案の概要】
【考案が解決しようとしている課題】
【０００４】本考案は、以上のような従来の欠点に鑑み、水廻り空間を構成する天井及び壁の下地材と仕上げ材を一体化したパネル構造とし、それらのパネル同士を接続装置で接合することにより簡便に水廻り空間創造ユニットを構成でき、更に、躯体に接合しないで自立させることで、ユニットの取り外しや移設が必要になった場合は、躯体やユニットを損傷させることなく、専門の職人でなくてもそれらの工事が行えることを目的としている。
【課題を解決するための手段】
【０００５】上記の目的を達成するために、本考案は、水廻り空間創造ユニットを構成する床基盤材と壁パネル及び天井パネルの接合に接続装置を用い、またユニットと躯体とを接合することなく、床基盤材との接合により自立させることで、前述の課題を解決するものである。
【考案の効果】
【０００６】上述のように、本考案の水廻り空間創造ユニットは、壁パネルと天井パネル及び壁パネルと床基盤材とを接続装置で接合することで自立した空間を構成できることから、専門の職人でなくても躯体を損傷することなくユニットの設置及び解体や移設が可能となる。更に、ユニットの設置に着脱可能な工法を採用していることから、必要な期間だけ必要なユニットをリース・レンタルの利用ができるという便益も有している。
【図面の簡単な説明】
【０００７】
【図１】水廻り空間創造ユニットの展開図である
【図２】ユニットを構成する壁パネルと床基盤材とを接合する接続装置図である
【考案を実施するための形態】
【０００８】水廻り空間創造ユニットは、壁パネル同士及び壁パネルと天井パネルを接続装置で接合することで空間を構成し、壁パネルと床基盤材を接続装置で接合することによりユニットを自立させる。また、壁パネル同士の接合や天井パネル及び床基盤材との接合は、ドライバーだけで作業が出来る工法を用いており、専門の職人でなくても簡便にユニットの組立や解体を行うことが出来る。
【実施例】
【０００９】以下、添付図面に従って実施例を説明する。
水廻り空間の一つとして便所空間創造ユニットを例として説明する。
１は水廻り空間を構成するユニットの壁パネルで、２は同様の天井パネルである。
１同士及び１と２は接続装置３によって強固に接合され、ユニット化により水廻り空間を構成している。４はユニットの台輪の役割をもった接続装置で、５の床基盤材に溶接されたナットにボルトで強固に接合されている。１と２により構成されたユニットと４をボルトで接合することにより、床基盤材に接合された自立式のユニットを構成することが出来る。５は躯体に接合することなく置き式のプレート状の土台の役割を果たし、６は置き式の床仕上げ材で、意匠性と防水機能を果たしている。また、それぞれの接合部は全て接続装置を用いて接合しており、専門の職人による大掛かりな工事をすることなく簡便にユニットの組立や着脱ができる。
【符号の説明】
【００１０】１  壁パネル
２  天井パネル
３  接続装置
４  接続装置
５  床基盤材
６  床仕上げ材
７  躯体
【図１】
0003214895.tif 000003
【図２】
0003214895.tif 000004
【手続補正書】
【提出日】平成29年11月17日(2017.11.17)
【手続補正１】
【補正対象書類名】実用新案登録請求の範囲
【補正対象項目名】全文
【補正方法】変更
【補正の内容】
【実用新案登録請求の範囲】
【請求項１】
壁パネルと天井パネルを、接続金物を介してボルト又はビスで強固に連結して一体化し、それら一体化したパネルの下部を、接続金物を介してボルト又はビスで床基盤材に強固に連結することにより水廻り空間創造ユニットを構成するため、専門の職人による大掛かりな工事をすることなく、また、躯体やユニットに損傷を与えずに水廻り空間の設置並びに解体や移設が出来ることを特徴とする水廻り空間創造ユニット
(57)【要約】      （修正有）【課題】花札を大衆向けに改良するもので、一般人や、外国人も楽しめるゲームカードを提供する。【解決手段】花札の大きさはトランプ大で、紙質はトランプと同質で、花札のトランプ判とした。絵柄３の右上に円の中に各月ごとに月の数字１が入いり、左下には円の中に各月の絵札の名２が入いる。【選択図】図１
0003214892.tif 000002
【実用新案登録請求の範囲】
【請求項１】
日本古来の花札を世界の人々にゲームカードとして広めるため、イメージアップをはかるカードになっている。花札の大きさはトランプ大。紙質はトランプと同質。トランプ、のように親しみやすいカードを目差している。
【請求項２】
絵柄の右上に円、丸の中に各月ごとに月の数字が入いる。又、左下には円の中に各月の絵札の名が入いる。（１月はまつ、２月はうめ）。ケースも新たにデザインした図柄にしたことを特徴とする請求項１記載のゲームカード。
【考案の詳細な説明】
【技術分野】
【０００１】  本考案は、花札を万国共通のカードにすることで、日本のカードゲームとしてのイメージアップをはかる。
【背景技術】
【０００２】  花札は一般人には馴染みにくい遊びで、大衆的に受け入れにくい遊びでもある。
【考案の概要】
【考案が解決しようとする課題】
【０００３】  小さい札は扱いにくい。台紙も厚すぎる。少し古くなると滑りも悪いなどの欠点がある。現在の花札はプロのゲーム札の感が強い。
【課題を解決するための手段】
【０００４】  花札を大きくすることでトランプ、かるたとは違ったカードに鮮やかに変望した。台紙もトランプ並の厚味、紙質で新鮮なカードになっている。
【考案の効果】
【０００５】  本考案に係るカードゲームは花札として遊ぶことも出来るが、トランプ同様のゲームも出来る実用性に優れたカードである。
【図面の簡単な説明】
【０００６】
【図１】本考案に係るカードの１部の絵柄図である。
【図２】本考案に係るケースの絵柄図である。
【図３】本考案に係るカードの絵柄図である。
【図４】本考案に係るカードの絵柄図である。
【考案を実施するための形態】
【０００７】  花札の月がわかるように右上の円の丸の中に月数字を入れる。左下には丸の中に月の絵の名を入れる。（１月はまつ、２月はうめ……。）
【０００８】  上り役を簡素化して覚えやすくしている。上り役は四光、七丹、三光、松桐坊、花見で一杯、月見で一杯、猪鹿蝶、赤丹、青丹。
【０００９】  ゲームの一例。親が場に一枚置く、そのカードの残りを持っている人は場に出します。時計廻りに次の人は月の次を並べます。前の月でも次の月でも良し。親は持ちカードによってどの月のカードからでもよい。早くカードを出し切った人が勝ちです。トランプの七並べがベース。
【００１０】  神経衰弱も出来ます。但し、取ったカードで上り役が出来るようにねらう遊び方も出来ます。取った数より役が大事になります。
【００１１】  ババ抜きは、２０点札をババ札として、その月の１枚をはずして行なう。オニ抜きは無差別に１枚はずして行なう、オニ札は最後までわからない。
【符号の説明】
【００１２】１  各月の月数字
２  花札の名称
３  花札絵
４  ケース絵
５  メーカー名
６  題字（金箔文字）
７  メーカーの商標
【図１】
0003214892.tif 000003
【図２】
0003214892.tif 000004
【図３】
0003214892.tif 000005
【図４】
0003214892.tif 000006
【手続補正書】
【提出日】平成29年9月21日(2017.9.21)
【手続補正１】
【補正対象書類名】実用新案登録請求の範囲
【補正対象項目名】全文
【補正方法】変更
【補正の内容】
【実用新案登録請求の範囲】
【請求項１】
日本古来の花札を世界の人々にゲームカードとして広めるため、イメージアップをはかるカードになっている。花札の大きさはトランプ大で紙質はトランプと同質なので、花札のトランプ判としたことを特徴とする花札のゲームカード
【請求項２】
絵柄の右上に円の中に各月ごとに月の数字が入いり、左下には円の中に  各月の絵札の名が入いる。ケースも新たにデザインした図柄にしたことを特徴とする請求項１記載のゲームカード。
【手続補正書】
【提出日】平成29年11月10日(2017.11.10)
【手続補正１】
【補正対象書類名】実用新案登録請求の範囲
【補正対象項目名】全文
【補正方法】変更
【補正の内容】
【実用新案登録請求の範囲】
【請求項１】
花札の大きさはトランプ大、紙質はトランプと同質なので、花札のトランプ判としたことを特徴とする花札のゲームカード。
【請求項２】
絵柄の右上に円の中に各月ごとに月の数字が入いり、左下には円の中に各月の絵札の名称が入いる請求項１記載の花札のゲームカード。
【請求項３】
ケースは１２月のやなぎの図柄の上にローマ字でＨＡＮＡＨＵＤＡ、ＳＩＮとデザインした図柄にしたことを特徴とする請求項１又は２記載のゲームカードを収納するケース。
(57)【要約】      （修正有）【課題】簡単でありながら着付けや帯結びの楽しさも味わうことが出来、日常的に着物を着用する機会が増えるようにしたお太鼓用名古屋帯を提供する。【解決手段】帯のお太鼓部分１の内側に二重の筒状の受け部を持ち、一方の受け部５には帯枕を通し、もう一方の受け部６には帯飾り羽根を通す構造としたことにより簡単に帯結びの形作りが出来る。また胴回り部３は胴を一巻きのみ巻く長さとすることにより楽に帯結びが出来、軽量も図られ着用後の動作が楽となる。【選択図】図１
0003214845.tif 000002
【実用新案登録請求の範囲】
【請求項１】
名古屋帯であって、帯お太鼓部分の内側に帯枕と帯飾り羽根を挿入する為の筒状の受け部を設けたことを特徴とするお太鼓用名古屋帯。
【考案の詳細な説明】
【技術分野】
【０００１】
本考案は、普段の和装時に、早く簡単に帯結びが出来るよう工夫した名古屋帯に関するものである。
【背景技術】
【０００２】
従来は、帯結びを早く簡単に行う為、軽装帯というお太鼓の形を固定して作り上げた物や帯結びが楽に出来る改良帯枕はあったが、帯の長さと帯枕の固定の工夫により手結びを楽しみながらも、帯結びが早く簡単に出来るという物は無かった。
【先行技術文献】
【特許文献】
【０００３】
【特許文献１】実用新案登録第３０５１０７４号公報
【特許文献２】実用新案登録第３０７１３４４号公報
【考案の概要】
【考案が解決しようとする課題】
【０００４】
解決しようとする問題点は、着物は現在夏の浴衣か冠婚葬祭でしか着用しないという人が多くなっている。その原因の一つは着物の帯結びの難しさにあると考える。本考案は、この課題を解消する為になされたものである。
【課題を解決するための手段】
【０００５】
本考案は、お太鼓結び専用とし、背中での結び目を作らず結ぶことにより、従来の名古屋帯よりも１ｍほど短い胴に一巻きする長さとした。また、帯のお太鼓部分に帯枕及び帯飾り羽根を挿入する為の筒状の受け部を設け二重構造部分を作り、お太鼓を形成しやすくしたことを特徴とする。
【考案の効果】
【０００６】
本考案は、胴に一巻きとする事により締め付け感の軽減と帯の軽量化が図られ、着用後の動作が楽となる。また、簡単に早く結べる帯でありながらも、自分なりに帯結びの形を変化させる事が出来、着付けや帯結びの楽しさを味わえるという利点がある。
【図面の簡単な説明】
【０００７】
【図１】図１は本考案の平面図である。
【図２】図２は本考案の断面図である。
【図３】図３は本考案の使用時の断面図である。
【図４】図４は本考案の使用時の断面図である。
【図５】図５は本考案の使用時の参考図である。
【考案を実施するための形態】
【０００８】
帯結びをする際、胴回りは一巻き巻くのみとし帯手先部を折り返す。背中の部分は、帯揚げを被せた帯枕を、帯お太鼓部分内側に設けた筒状の受け部に通して背中に乗せ使用する。変わり結びをしたい時は、帯お太鼓部分内側のもう一方の筒状の受け部に帯飾り羽根を通して使用することも可能である。
【実施例１】
【０００９】
図１は、本考案の平面図であり、１は名古屋帯のお太鼓部分、３は胴回り部分であって、胴回り部分の縫い止まり部に、５に筒状の帯枕受け部と６に筒状の飾り羽受け部を縫い付けたものである。
【００１０】
図２は、本考案の断面図であり、図１の５、６の筒状の受け部の縫い付け位置を示したものである。
【００１１】
図３は、本考案の筒状の帯枕受け部に帯枕を通して使用時の図であり、７は帯枕を通す空間である。
【００１２】
図４は、本考案の筒状の帯枕受け部に帯枕と、飾り羽根受け部に帯の飾り羽を通して使用時の図であり、８は帯の飾り羽を通す空間である。
【００１３】
図５は、本考案の使用時の参考図であり、着用後は他の名古屋帯着用時と大差ない着用姿となる。
【産業上の利用可能性】
【００１４】
本考案は、広く日常生活において、着物に慣れ親しみ、気軽に着物が着用できるよう、帯結び時に利用される。
【符号の説明】
【００１５】
１    帯お太鼓部
２    帯垂れ先部
３    帯胴回り部
４    帯手先部
５    筒状の帯枕受け部
６    筒状の帯飾り羽根受け部
７    帯枕の入る空間
８    帯飾り羽根の入る空間
９    着用者背部
【図１】
0003214845.tif 000003
【図２】
0003214845.tif 000004
【図３】
0003214845.tif 000005
【図４】
0003214845.tif 000006
【図５】
0003214845.tif 000007
(57)【要約】      （修正有）【課題】男性が洋式便器等で立ち小便する場合、便器及び周辺トイレに尿が飛散するのを防止する男性用尿はね防止具を提供する。【解決手段】尿はね防止具は、水溶性紙筒１であり、男性が洋式便器等にて立小便する場合、水溶性紙筒の片方開口部２に陰茎を挿入し、他方開口部３は便器水面にたらし、放尿することにより尿は水溶性紙筒１の内面に沿って便器４の水面５に流入でき、尿の便器外への飛散、尿はねが防止できる。このことによりトイレの汚れ、悪臭が防止できる。しかも使用後は水溶性の為便器内に流し去ることができる。【選択図】図２
0003214813.tif 000002
【実用新案登録請求の範囲】
【請求項１】
成人男子が直立した状態でペニスから洋式便器の水面まで届く長さを持ち、成人男子のペニスが十分挿入できる内径を持つ、水溶性紙筒で立小便使用後便器内に流し去る事のできる男性用尿はね防止具。
【考案の詳細な説明】
【技術分野】
【０００１】  本考案は、男性が洋式便器で立ち小便をする場合に使用する水溶性紙筒に関するものである
【背景技術】
【０００２】  従来洋式便器で男性が小便をする場合、直立した状態でするか、座って、または便器の前に膝をついて小便していた。
【先行技術文献】
【特許文献】
【０００３】
【特許文献１】実用新案登録第３１６６８０９号
【特許文献】
【０００４】
【特許文献２】実用新案登録第３１２００４０号
【０００５】
【特許文献３】特許公開番号２０１７−０７８３２６
【考案の概要】
【考案が解決しようとする課題】
【０００６】  洋式便器で男性が立ち小便をする場合、便器の外に尿が飛散することや、高所より放尿する為、便器に溜められた水面、または便器底面で尿がはね、便器外に飛散し、トイレ床面、壁面に付着し、汚れ、悪臭を放つ原因となっていた。
従来の技術は、放尿時の集尿を目的としており、便器水面、底面に高所から落下する尿の跳ね返り飛散は防止しがたい。また尿はね、飛散防止の目的で筒状導尿管を使用し身体に接する部分のみ交換し、以外部分は繰り返し使用する技術が考案されているが付着した尿が床面に落下することや、付着した尿により悪臭を発生し、その上使用後は立てかけて保管する為不衛生になりやすい。
【問題を解決するための手段】
【０００７】  洋式便器に於いて男性が立ち小便する場合、ペニスから便器水面まで届く長さの水溶性紙筒内径部に、ペニスを挿入し筒内に放尿することにより尿は筒内面を沿い便器水面まで達し、水中に流入する。此のことにより洋式便器における男性立ち小便の、尿飛散、尿はねは完全に防止できる。
しかも使用する紙筒は水溶性の為、そのまま便器に落下し、流し去ることができる。
【考案の効果】
【０００８】  本考案は洋式便器水面、または底面に届く紙筒の為、水面、底面から尿の落下はねが確実に防止できる
【０００９】  家庭内の洋式トイレはもちろん、一般大衆の利用する洋式トイレや、揺動する乗り物内のトイレ等で使用することにより、トイレが清潔、衛生的に保てる。
【００１０】  男性本来の小便スタイルとなり、着衣を下げたりすることなく短時間で、すっきり気持ちよく爽快に小便ができる。
【００１１】  使用後の水溶性紙筒はそのまま便器内に流し去ることができ、非常に衛生的である。
【００１２】  水溶性紙筒は、リール状に巻き込みトイレットペーパーの様にミシン目等切目をつけて一定の長さにすることも可能であり、また折りたたんで保管することも容易である。
【図面の簡単な説明】
【００１３】
【図１】  本考案に係る男性用尿はね防止具の斜視図
【図２】  本考案に係る男性用尿はね防止具の使用状態を示す図
【考案を実施するための形態】
【００１４】  以下、本考案の実施形態を説明する。
本考案を使用する時は水溶性紙筒１の片方開口部２にペニスを挿入し、落下しないように手でペニスと水溶性紙筒１を支え、水溶性紙筒の他方開口部３を便器４の水面５に接するように構え放尿することにより、水溶性紙筒１の内側を尿が沿って便器４の水面５まで流れ落ちる。開口部２はペニス挿入口であり、開口部３は水面着水部となる。水溶性紙筒１の内側に沿って尿が流れるため、尿の便器外への飛散、水面での飛び跳ねが確実に防止できる。しかも使用後は水溶性紙筒１を便器内に落下し流し去ることができる。
【符号の説明】
【００１５】  １  水溶性紙筒
２  ペニス挿入口
３  水面着水部
４  便器
【図１】
0003214813.tif 000003
【図２】
0003214813.tif 000004
(57)【要約】      （修正有）【課題】器具の破損損耗を軽減し、より長く快適に雑草抜き作業を行うことが出来る雑草抜き器具を提供する。【解決手段】肉厚金属パイプ１の上端部に手動回転用の持ち手部３を有し、下端先端部に切り込み刃先部４とする加工を施すことによって、器具の耐久性の向上を図り、パイプ刃先の円周方向に回転力が伝わることによって土中への抵抗が軽減され、より少ない力で雑草を絡めとることが出来る。肉厚金属パイプ１の中間支持部に軽量パイプ２を接合し、器具を軽量化する。これにより、器具の軽量化及び立ったままでの作業が行えるので、作業者の身体への負担が軽減され、雑草抜き作業が従来器具に比べ容易に行える。又刃先部分の材質が肉厚金属パイプなので、構造が簡単で剛性強度がある為、従来器具に比べて、器具本体と地面との加圧部が破損しにくく、器具の破損損耗を軽減することが出来る。【選択図】図１
0003214992.tif 000002
【実用新案登録請求の範囲】
【請求項１】
雑草抜き作業を、従来品に比べ、より容易に行うことを目的とした、肉厚金属パイプ棒を主体とする雑草抜き器具。
【請求項２】
肉厚金属パイプ棒の先端部に、直接的に切り込み刃先加工を施すことで、器具の単純構造化による、器具本体の破損の軽減及び刃先破損時の修復を容易にすることを目的とした、請求項１記載の雑草抜き器具。
【請求項３】
金属パイプ棒の別端部に、円形状のゴム材質の持ち手部を取り付けることにより、刃先部に回転運動を容易に与えることが出来ることを目的とした、請求項１記載の雑草抜き器具。
【請求項４】
肉厚金属パイプ棒の先端に、切り込み加工を施した主材部と、軽量パイプ棒を接合、組み合わせることで、器具自体の軽量化を図り、作業時の作業者への身体への負担を軽減し、効率良く雑草の除去を行えるということを目的とした、請求項１記載の雑草抜き器具。
【考案の詳細な説明】
【技術分野】
【０００１】  本考案は、雑草を容易に除去する為の、肉厚金属パイプ棒を主体とした、雑草抜き器具に関する考案である。
【背景技術】
【０００２】  従来の雑草抜き器具（以下「従来器具」と表記）について、片手タイプの従来器具に於いては、しゃがんでの作業となる為に、長時間での雑草抜き作業は、作業者にとっては肉体的苦痛を強いられるものであった。（例えば、特許文献１参照）又立ったまま作業が出来る、棒状両手タイプの従来器具もあるが、概ね構造が少し複雑であったり、プラスチック成形を多用したりして、強度的に不足があり、器具自体が長持ちしないという欠点があった。（例えば、特許文献２参照）
【先行技術文献】
【特許文献】
【０００３】
【特許文献１】実登３１８２８０７
【特許文献２】特開２０１３−２４７９６９
【考案の概要】
【考案が解決しようとする課題】
【０００４】  本考案は、従来器具の欠点である「雑草抜き作業による、作業者に及ぼす身体に対する負担」及び「器具自体の強度不足による、器具の破損損耗」を軽減し、「より長く快適に雑草抜き作業を行うこと」を目的とすることを課題とする。
【課題を解決するための手段】
【０００５】  上記の課題を解決する為に、肉厚金属パイプ棒の先端に、直接的に切り込み加工を施した主材部と、軽量パイプ棒の端部に、円形状のゴム材質の持ち手部を取り付けた支持部とを接合、組み合わせることで問題点を解決している。
【考案の効果】
【０００６】  本考案により、器具の軽量化及び立ったままでの作業が行えるので、作業者の身体への負担が軽減され、雑草抜き作業が従来器具に比べ容易に行える。【０００７】本考案では、刃先部分の材質が肉厚金属パイプ棒なので、構造が簡単で剛性強度がある為、従来器具に比べて、器具本体と地面との加圧部が破損しにくく、器具の破損損耗を軽減することが出来る。又刃先が破損した場合に於いても、グラインダー等を用いて、先端部の修復を、容易に行うことが出来る。
【図面の簡単な説明】
【０００８】
【図１】本考案の実施形態を示す平面図である。
【図２】本考案の刃先部の詳細図である。
【図３】本考案の使用時の概略図である。
【考案を実施するための形態】
【０００９】  図１は、本考案器具の構造の平面図であって、肉厚金属パイプ棒の先端に切り込み加工を施した主材部と、軽量パイプ棒を接合し組み合わせた構造で、別端部には作業を行いやすくするために、適度な大きさのゴム材質の持ち手を取り付け、金属パイプ棒による雑草根を絡めとる為の回転操作を容易にしている。尚小口径の肉厚金属パイプ棒使用時には、器具の製作工程を簡素化する為に、軽量パイプを使用しないで、直接ゴム持ち手を、金属パイプ棒に取り付ける。
【実施例】
【００１０】  本考案器具の使用実施例としては、刃先部４を、抜きたい雑草の根元部に軽く突き刺した状態で、根の抵抗が重いうちは、持ち手部３にて左右の回転を交互に与え、根の抵抗がほぼ無くなったら、金属パイプ棒の回転を左右どちらか一方向にのみ与え、雑草を根ごと引き抜く。
【実施形態の効果】
【００１１】  刃先先端部の形状から、器具全体を回転することにより、雑草の根が刃先に絡みとられて、雑草ごと除去することが出来る。又立ったままでの作業が行えるので、作業者の身体への負担が軽減され、雑草抜き作業が容易となり、従来器具に比べて、刃先部分の材質が肉厚金属パイプ棒なので、構造が簡単で剛性強度がある為、器具の地面との加圧部が破損しにくく、器具の破損損耗を軽減することが出来、刃先が破損した場合に於いても、グラインダー等を用いて、先端部の修復を容易に行うことが出来るので、器具自体を長期にわたり使用することが出来る。
【符号の説明】
【００１２】１  主材部肉厚金属パイプ  φ１０ｍｍ〜φ４０ｍｍ
（ステンレス鋼管・ガス鋼管等）
２  支持部軽量金属パイプ  φ１０ｍｍ〜φ２０ｍｍ
３  持ち手部ゴム  φ３０ｍｍ〜φ８０ｍｍ
４  刃先部
刃先部詳細
Ｄ：外形  φ１０ｍｍ〜φ４０ｍｍ
Ｔ：肉厚  １ｍｍ〜３ｍｍ
刃先長＞Ｄ  ２０ｍｍ〜８０ｍｍ
【図１】
0003214992.tif 000003
【図２】
0003214992.tif 000004
【図３】
0003214992.tif 000005
【手続補正書】
【提出日】平成29年11月24日(2017.11.24)
【手続補正１】
【補正対象書類名】実用新案登録請求の範囲
【補正対象項目名】全文
【補正方法】変更
【補正の内容】
【実用新案登録請求の範囲】
【請求項１】
肉厚金属パイプ棒の上端部に手動回転用の持ち手部を有し、下端先端部に切り込み刃先加工を施すことによって、器具の耐久性の向上を図り、パイプ刃先の円周方向に回転力が伝わることによって土中への抵抗が軽減され、より少ない力で雑草を絡めとることが出来ることを特徴とする、雑草抜き器具。
【請求項２】
肉厚金属パイプ棒の下端先端部に切り込み刃先加工を施すことを特徴とする、請求項１記載の雑草抜き器具。
【請求項３】
肉厚金属パイプ棒の上端部に、円形状のゴム材質の持ち手部を取り付けることを特徴とする、請求項１記載の雑草抜き器具。
【請求項４】
前記肉厚金属パイプ棒の中間支持部に軽量パイプ部材を接合し、器具を軽量化することを特徴とする、請求項１記載の雑草抜き器具。
(57)【要約】      （修正有）【課題】一般的なクリアファイルと同様に書類を挟み込んで収納することに加え、販促物としての有用性を高めるためポスターとしても使用可能なクリアファイルを提供する。【解決手段】プラスチックシートを折曲線ａに沿って折り曲げて重ね合わせ、重ね合った底辺ｂを溶着加工にて接合して書類を間に挟むことにより書類の収納に使用できる２辺が開口したクリアファイルであって、下部には溶着加工にて接合された底辺ｂと並行してミシン目ｄが形成されており、溶着部を含む切除部を切り離すことにより折曲線ａの折り目を伸ばしポスターとして使用できる。【選択図】図１
0003214924.tif 000002
【実用新案登録請求の範囲】
【請求項１】
型抜きされた1枚のプラスチックシートを折曲線aに沿って二つに折り、底辺bを溶着加工して形成されたクリアファイルであって、底辺にほど近い位置に並行してミシン目ｄが形成されていることを特長とするクリアファイル。
【請求項２】
前記ミシン目ｄを切り離し切除部eを取り除くことにより、二つ折りにされたプラスチックシートを開いてポスターとして使用可能な請求項1のクリアファイル。
【考案の詳細な説明】
【技術分野】
【０００１】
本考案はポスターとしても使用可能なクリアファイルに関するものである。
【背景技術】
【０００２】
プラスチックシートを折り加工及び溶着加工して製作されたクリアファイルは書類を挟み込んで収納するために一般に広く使用されているのは公知である。同様にプラスチックシートを使用したポスターは一般にクリアポスターと呼ばれ、アニメのキャラクター等が印刷された物が市販されている。
【考案の概要】
【考案が解決しようとする課題】
【０００３】
書類を挟んで収納する際に一般に広く使用されるプラスチックシートを２つ折りして溶着加工されたクリアファイルは、その多くが企業の広告やロゴマーク、キャラクター、写真等を印刷しプロモーショングッズとして使用されている。そのため、本来の機能である書類を挟んで収納することに加え、販促物としての有用性をより高めるための独自性のある機能が必要となっていた。
【課題を解決するための手段】
【０００４】
本考案は材料となるプラスチックシートを折り曲げて重ね合わせ、折り曲げた辺に隣接する一辺を溶着加工して、書類を間に挟むことにより書類の保管に使用できる２辺が開口したケースを形成する。下部には溶着加工された辺と並行してミシン目加工が施されており、ハサミやカッターナイフ等を使うことなく溶着部分を切り取ることができる構造を備える。ミシン目に沿って溶着部を切り取ることにより、折曲線を伸ばし、見開いてポスターとして壁に掲示することができる。
【考案の効果】
【０００５】
クリアファイルとして書類の収納に使用できるだけでなく、見開いてポスターとしても使用できるため、２つの機能を持ち併せたクリアファイルの提供が可能となり、プロモーショングッズとしての有用性をより高めることができると想定される。
【図面の簡単な説明】
【０００６】
【図１】型抜きされたプラスチックシートを示す図
【図２】クリアファイルとして仕上げた状態を表側から見た図
【図３】クリアファイルとして仕上げた状態を裏側から見た図
【図４】切除部を切り離した状態を示す図
【図５】切除部を切り離した後、見開いた状態を示す図
【考案を実施するための形態】
【０００７】
以下、本考案の形態を図に基づいて説明する。
【実施例】
【０００８】
本考案の実施の形態を図1至図5に基づき説明する。
図1は絵柄が印刷され、その後所定の形に型抜きされた１枚の透明又は半透明のプラスチックシートであって、主にポリプロピレンやPET等の合成樹脂製の材料が使用される。このプラスチックシートシートを横幅方向の中央に位置する折曲線aに沿って折り曲げて重ね合わせ、二つ折りにされたシートの重ね合った底辺bを溶着加工cにて接合することにより2辺が開口したクリアファイルが形成される。図2図3の示す通り、下部には溶着加工された底辺bと並行して、ミシン目dが形成されており溶着加工された底辺bを含む切除部eをハサミやカッターナイフを使うことなく切り取ることができる構造を持つ。
図4の通り切除部eを切り取った後、図5の通り二つ折りにされたプラスチックシートを開き折曲線aの折り目を伸ばすことにより、クリアファイル時の約2倍の面積のプラスチックシート片が形成され、一般的な紙製のポスターと同様に壁面に貼る又は額に入れて観賞用として使用することができる。
【符号の説明】
【０００９】
a  折曲線
b  底辺
c  溶着加工
d  ミシン目
e  切除部
【図１】
0003214924.tif 000003
【図２】
0003214924.tif 000004
【図３】
0003214924.tif 000005
【図４】
0003214924.tif 000006
【図５】
0003214924.tif 000007
(57)【要約】      （修正有）【課題】塩化ビニル板二枚を連結、脱着出来る掲示板を安価で作製し、掲示板設置撤去等にかかる手間を軽減する選挙用増減可動式掲示板を提供する。【解決手段】塩化ビニル板１二枚を折り畳んだ状態で、一人で素人でも運搬が可能で掲示板設置には止具４を架けるだけの手間で出来る。再使用可能で掲示板の増減に即対応が出来、選挙費用等が大幅に削減可能である。【選択図】図１
0003214922.tif 000002
【実用新案登録請求の範囲】
【請求項１】
法定５号ポスター大きさ分、横に五枚分と縦に四枚分の塩化ビニル板二枚作製し、その板の右端と他方の板左端に連結止輪を取付け、連結と脱着及び二枚を折り畳んだ状態で、運搬が一人で簡単に出来るように連結止棒で結着させて、塩化ビニル板二枚の上部両端に止具を取付け、その止具を架ける手間だけで掲示板設置が容易に出来ることを特徴とする選挙用増減可動式掲示板。
【考案の詳細な説明】
【技術分野】
【０００１】
本考案は掲示板の設置等が簡単に出来る掲示板に関するものである。
【背景技術】
【０００２】
設置時土台作りと支柱作りに職業的工事が必要であり、掲示、撤去、運搬作業に多人数の労力が必要であった。
【先行技術文献】
【特許文献】
【０００３】
【特許文献１】特開平２００８−６５２７３号      公報
【考案の概要】
【考案が解決しようとする課題】
【０００４】
安価で加工し易い掲示板を作製し、再使用可能にして運搬設置等の作業が一人で簡単に出来、手間と選挙費用を大幅に削減する。
【０００５】
掲示板増減に即時対応が可能、設置場所の確保が容易である。
【０００６】
本考案は、以上のような従来の問題に鑑み、安価で掲示板を作製し再使用可能で運搬設置撤去等が一人で素人でも出来る事から手間を軽減し、前述の欠点を解決しようとするものである。
【課題を解決するための手段】
【０００７】
上記目的を達成するために、本考案は法定５号ポスターの大きさ分、横に五枚分と縦に四枚分の塩化ビニル板１二枚作製し、その二枚を連結し折り畳んで、運搬が一人で出来るように連結止棒３で結着させて、掲示板の設置を簡単にするために止具４を取付ける。掲示板安定に定着止６を取り付け、更にポリ袋７を各区分に取付けたことにより問題点を解決している。    
【考案の効果】
【０００８】
上述したように本考案にあっては次に列挙する効果が得られる。
（１）塩化ビニルは柔らかく、加工し易く安価で費用の削減可能。
（２）運搬や設置撤去等の作業が一人で出来、人件費の削減になる。
（３）設置の手間は止具４を架けるだけである。
（４）ポリ袋７を逆さまに取付け、雨よけとポスターの汚損防止になる。
（５）再使用可能で設置場所確保が容易で、掲示板増減が即時可能。
以上のように(1)から（５）と同様な効果が得られる。
【図面の簡単な説明】
【０００９】
【図１】塩化ビニル板１二枚を作製し、連結止輪２、連結止棒３、止具４、            テープ５、ポリ袋７の位置を示す平面図である。
【図２】塩化ビニル板１二枚を連結止輪２、連結止棒３で結着し、その二枚          を折り畳んだ状態と定着止６の位置を示す平面図である。
【考案を実施するための形態】
【００１０】
以下、本考案の実施の形態を図に基づいて説明する。
法定５号ポスター大きさ分、横に五枚分と縦に四枚分の塩化ビニル板１二枚作製し、その板１の右端と他方の板１左端に連結止輪２を取付け、連結と脱着及び二枚を折り畳んだ状態で、運搬が一人で出来るように連結止棒３で結着させる。二枚の上部両端に止具４を取付け、法定５号ポスターの大きさにテープ５を貼付け区画を明示し、二枚の各部位に定着止６を図２のようにする。更に法定５号ポスター大のポリ袋７を各区分に図１のようにする。
【実施例】
【００１１】
図１は本考案実施例１の平面図であって、塩化ビニル板１二枚を連結止輪２で連結し、連結止棒３を示し、止具４で止める場所を示し、テープ５の区分を明示し、ポリ袋７の取付け位置を示した状態である
図２は平面図であって、連結止輪２を取付け、連結止棒３で結着し、塩化ビニル板１二枚を折り畳んだ位置を示し、その二枚の真ん中と各隅及び適時定着止６を取付けた位置を示した状態である。
【産業上の利用可能性】
【００１２】
加工し易く安価で作製出来、増減可能な掲示板は設置場所確保容易、再使用可、運搬設置撤去等の作業が一人で簡単に出来、人件費が大幅に削減されることから地方公共団体は本件選挙用増減可動式掲示板の利用価値は高い。
【符号の説明】
【００１３】
１      塩化ビニル板
２      連結止輪
３      連結止棒
４      止具
５      テープ
６      定着止
７      ポリ袋
【図１】
0003214922.tif 000003
【図２】
0003214922.tif 000004
(57)【要約】      （修正有）【課題】夜間の地震発生の際、自動で明かりが点灯し、被災者に安心感をもたらすと同時に明かりの所在も知らせ、暗闇での避難も安全かつ容易にする感震非常灯を提供する。【解決手段】マグネット３を取り外すことにより点灯するリードスイッチ式ライト本体１を、マグネット３にオモリ４を繋げ、地震の揺れによりオモリ４が落下することにより、その重みでマグネット３がライト本体１から離脱し、地震の際に自動で明かりを点灯させ、さらに本考案の感震非常灯の設置は面ファスナー１０により脱着式とし、避難時等に取り外して懐中電灯として使用でき、夜間、特に暗闇での地震発生の時に役立つ。【選択図】図２
0003214911.tif 000002
【実用新案登録請求の範囲】
【請求項１】
リードスイッチによりライトを点灯または消灯するリードスイッチ式ライトと、前記リードスイッチを磁力によって制御するための磁石であって、一方が固定され、他方がひもを経由してオモリに接続されている磁石と、前記オモリを載置する載置台とを備え、平常時は前記磁石と前記リードスイッチとを吸着させ、地震発生時は前記オモリが前記載置台から落下することにより、前記磁石が離脱可能な吸着手段を備えることを特徴とする感震非常灯。
【請求項２】
前記吸着手段は鉄板であることを特徴とする請求項１記載の感震非常灯。
【考案の詳細な説明】
【技術分野】
【０００１】  本考案は、地震発生時、地震の揺れにより自動点灯し、被災者に明かりの所在を知らせると同時に、被災者の暗闇での不意の地震の恐怖を回避し、暗闇においても避難を安全かつ容易にする非常灯に関するものである。
【背景技術】
【０００２】従来の常備等ならびに非常灯は、手動により点灯するものである。
【考案の概要】
【考案が解決しようとする課題】
【０００３】  夜間の地震発生の際、停電時ならびに就寝時の暗闇での揺れは、日中等の明るい時よりも被災者の恐怖が増すものである。また、すぐに明りを見つけ点灯させるのは困難である。さらに、避難の必要性がある場合、明かりがないと困難である。したがって、本考案は、地震の際に自動で明かりが点灯し、前述の欠点を解決した感震非常灯を提供しようとするものである。
【課題を解決するための手段】
【０００４】  本考案の感震非常灯は、リードスイッチによりライトを点灯または消灯するリードスイッチ式ライトと、前記リードスイッチを磁力によって制御するための磁石であって、一方が固定され、他方がひもによりオモリに接続されている磁石と、上にてオモリを載置する載置台とを備え、平常時は前記磁石と前記リードスイッチとを吸着させ、地震発生時は前記オモリが前記載置台から落下することにより、前記磁石が離脱可能な吸着手段を備えることを特徴とするものである。
また、本考案における前記吸着手段としては、鉄板や面ファスナーを用いることができる。【０００５】  本考案は、地震発生時にその揺れを利用して、非常灯を自動点灯させるものである。普段、本考案による感震非常灯は、建物内において、夜間の地震時に明かりが必要と想定される場所の壁に設置しておくものである。その仕組みは、マグネットを取り外すことにより点灯するリードスイッチ式ライトを、マグネットにオモリを繋げ、地震の揺れによりオモリが落下し、その重みでマグネットがライト本体から離脱し、明かりを点灯させる。
【考案の効果】
【０００６】  上述のように、本考案の感震非常灯は、地震発生と同時に明かりが点灯し、被災者に安心感をもたらすと同時に明かりの所在も知らせ、暗闇での避難も安全かつ容易にする。
【図面の簡単な説明】
【０００７】
【図１】本考案の感震非常灯の一実施例を示すもので、本考案の感震非常灯を壁に設置した時の正面図である。
【図２】本考案の感震非常灯において、地震の揺れによってオモリが落下してライトが点灯する状態の一実施例を示す正面図である。
【図３】本考案の感震非常灯の電気的構成の一実施例を示す回路図である。
【考案を実施するための形態】
【実施例】
【０００８】  以下、添付図面に従って一実施例を説明する。１のリードスイッチ式ライトの本体は８の基板に１１の両面テープにて取付されている。リードスイッチ式ライト本体１の下方側には、５の鉄板（例えば、磁性有りステンレス板ＳＵＳ４０３でもよい。）が接着されており、３のマグネットが磁力により鉄板に吸着している。
なお、マグネット３をリードスイッチ式ライト本体１の下方面に吸着するようにするための手段として、鉄板５の代わりに面ファスナーや着脱可能なのり・テープ等を用いてもよい。すなわち、所定の重力以上の力が加わった時に、マグネットが離脱するものであればなんでもよい。【０００９】  マグネット３の片側Ａは９のビニールベルトにて基板８に固定されていて、もう一方Ｂは７のナイロン糸にて４のオモリと繋がれている。【００１０】  ６のオモリ載置台は１２の両面テープにて基板８に固定されていて、マグネット３とナイロン糸７を介して繋がっているオモリ４は［図１］の状態においてはオモリ載置台６に設置されている。【００１１】  夜間の地震の際に家屋内にて明かりが必要と想定される場所の壁に、本考案の感震非常灯を［図１］の状態にて取付する。なお、取付は基板８の裏面に取付られた１０の面ファスナーにて脱着式とし、壁から取り外すことにより懐中電灯としての使用も可能となる。【００１２】  例えば、震度４程度以上の地震が発生した場合、その揺れによりオモリ載置台６よりオモリ４が落下し、その重力によりマグネット３が、ビニールベルト９のところを支点にその片側Ｂが下方に動くことによって、リードスイッチ式ライト本体１より離れ、つまりは［図２］の状態となり、リードスイッチ式ライト本体１内のライト発光部２（例えば、ＬＥＤ発光ダイオード）が点灯する。【００１３】  さらに、暗闇の外部への避難の必要がある場合等、本考案の感震非常灯を壁から取り外して懐中電灯として使用することもできる。【００１４】  なお、［図３］は、［図１］本考案の感震非常灯の設置状態の際の本非常灯の発光体となるリードスイッチ式ライトの回路図である。［図３］において、２つの１３の発光ダイオードとそれを駆動するための１５の電池（ボタン型）ＬＲ４４×３個は直列に接続されている。オモリ４がオモリ載置台６から落下すると、その重力によりマグネット３がリードスイッチ式ライト本体１から離れ、リードスイッチの接点１４がマグネット３から離れ、接点がＯＮになる。接点がＯＮになると電池１５から発光ダイオード１３に電流が流れることで、発光ダイオード１３が点灯する。
【符号の説明】
【００１５】１    リードスイッチ式ライト本体
２    ライトの発光部
３    マグネット
４    オモリ
５    鉄板（磁性有りステンレス板ＳＵＳ４０３）
６    オモリ載置台
７    ナイロン糸
８    基板
９    ビニールベルト
１０  面ファスナー
１１  両面テープ
１２  両面テープ
１３  ＬＥＤ発光ダイオード
１４  リードスイッチの接点
１５  電池（ボタン型）ＬＲ４４×３個
【図１】
0003214911.tif 000003
【図２】
0003214911.tif 000004
【図３】
0003214911.tif 000005